(57)【要約】【課題】見守り対象者の滞在データを携帯情報端末に表示させる場合、携帯情報端末の画面の制約によって滞在データを表示することは難しいという課題がある。【解決手段】見守り対象者宅内に配置されたセンサによって見守り対象者の滞在の有無を検知する。センサから出力された滞在データに基づいて、所定時間帯ごとにおける見守り対象者の主な滞在場所が判定され、その判定結果が携帯情報端末の画面に１文字の記号を用いて表示される。【選択図】　図３
2004112648.tif 000002
【特許請求の範囲】
【請求項１】
見守り対象者の滞在場所を検知した情報を受信して表示する携帯情報端末であって、
所定長の時間帯ごとに、見守り対象者の滞在場所を示す１文字の記号を用いて表示することを特徴とする携帯情報端末。
【請求項２】
前記各時間帯内において複数の滞在場所での滞在が検知されている場合は、最も長い時間滞在した滞在場所を当該時間帯の滞在場所として表示する事を特徴とする請求項１に記載の携帯情報端末。
【請求項３】
前記滞在場所のいずれかを指定場所として予め選定しておき、指定場所での滞在が検知された場合は、当該指定場所を当該時間帯の滞在場所として表示することを特徴とする請求項１に記載の携帯情報端末。
【発明の詳細な説明】
【０００１】
【発明の属する技術分野】
この発明は、独居高齢者等の見守り対象者の滞在情報を簡便に把握できる表を表示する携帯情報端末に関する。
【０００２】
【従来の技術】
高齢社会が到来し、独居高齢者等（以下、見守り対象者）のケアが問題化しており、常日頃から見守り対象者の健康状態を把握しておくことが重要となっている。
【０００３】
このような視点から、見守り対象者の生活を見守るシステムが公表されている。それによれば、見守り対象者宅内に配置したセンサを用いて前記見守り対象者の滞在場所を検知し、親族や介護センタ等の見守り関係者の端末に日時を含む滞在場所の滞在データを配信できるようになっている。
配信画面には、前記見守り対象者の１日の各時刻における滞在データが場所ごとに色分けされた帯状の図として表示され、見守り関係者は、この帯図によって１日分の前記見守り対象者の滞在データを把握することができる。
【０００４】
【特許文献１】
特開２００２−０７４５６１号公報
【０００５】
【発明が解決しようとする課題】
しかし、滞在データを表示する端末がＷｅｂ機能付き携帯電話などの携帯情報端末である場合、携帯情報端末の画面の大きさや解像度などの制約があるために、従来のパソコン画面用の滞在データを表示することは難しいという課題がある。
【０００６】
そこで本発明は、前記課題に鑑み、各時間帯ごとにおける見守り対象者の滞在場所を容易に把握できるように表示する携帯情報端末を提供することを目的とする。
【０００７】
【課題を解決するための手段】
前記課題を解決するため、請求項１に記載の発明は、見守り対象者の滞在場所を検知した情報を受信して表示する携帯情報端末であって、所定長の時間帯ごとに、見守り対象者の滞在場所を示す１文字の記号を用いて表示することを特徴とする携帯情報端末としている。
【０００８】
これによって、見守り関係者は携帯情報端末を用いて外出先でも見守り対象者の滞在場所を容易に把握することができる。また、見守り対象者の各時間帯ごとの滞在場所が１文字の記号で表示されているので、表示画面に制約がある携帯情報端末でも見守り対象者の滞在場所のデータを表示することができる。
【０００９】
請求項２に記載の発明は、前記各時間帯内において複数の滞在場所での滞在が検知されている場合は、最も長い時間滞在した滞在場所を当該時間帯の滞在場所として表示する事を特徴とする請求項１に記載の携帯情報端末としている。
【００１０】
これによって、見守り関係者は、所定時間帯ごとにおける見守り対象者の主な滞在場所を把握することができる。
【００１１】
請求項３に記載の発明は、前記滞在場所のいずれかを指定場所として予め選定しておき、指定場所での滞在が検知された場合は、当該指定場所を当該時間帯の滞在場所として表示することを特徴とする請求項１に記載の携帯情報端末としている。
【００１２】
これによって、見守り関係者は、見守り対象者がトイレ等で短い滞在を行ったときでも見守り対象者の滞在場所を把握することができる。
【発明の実施の形態】
以下、本発明の第１の実施形態を図面を参照して説明する。
なお、本明細書全体を通じて、時間帯とは、１日のうちのある時刻からある時刻までの一定の幅の時間を示したものを指す。
図１は、見守り対象者の生活を遠隔で見守るテレケアシステムＳを示したものである。テレケアシステムＳは、見守り対象者宅１内に備えられた見守り主装置１１と、ホストコンピュータ３とが通信ネットワーク２で接続されている。
【００１３】
見守り主装置１１には複数のセンサ１２ａ〜１２ｅが接続されており、各センサ１２ａ〜１２ｅは見守り対象者宅１内の寝室、居間、台所、トイレ、玄関に１つずつ配置されている。これらのセンサ１２ａ〜１２ｅは、人体から発せられる赤外線に感応する赤外線センサで構成され、各場所での見守り対象者の滞在を検知する。センサの検知期間は限定せず、可能な限り永続的に行なう。
【００１４】
見守り主装置１１は、見守り対象者宅１内に配置されたセンサ１２ａ〜１２ｅからの出力に基づいて前記見守り対象者の滞在判定を行い、滞在判定の結果をホストコンピュータ３に随時送信する。
【００１５】
ここで、見守り主装置１１が行う滞在場所の判定について述べる。
ある時間帯での見守り対象者の滞在場所が１つのとき、見守り主装置１１は、その１つの滞在場所を見守り対象者の滞在場所と判定する。
例えば、１０分間の時間帯において、寝室に配置されたセンサ１２ａが１０分間継続的に見守り対象者を検知し、他のセンサが見守り対象者を検知しなかったとする。このとき、見守り主装置１１は、その時間帯に見守り対象者が寝室に滞在したと判定する。
【００１６】
また、ある時間帯での見守り対象者の滞在場所が複数あるとき、見守り主装置１１は、見守り対象者が最も長い時間滞在した場所をその時間帯での滞在場所と判定する。
例えば、１０分間の時間帯において、居間のセンサ１２ｂが見守り対象者を３分間検知し、その後、台所のセンサ１２ｃが見守り対象者を４分間検知し、さらにその後再び居間のセンサ１２ｂが見守り対象者を３分間検知したとする。このとき、１０分間の時間帯における見守り対象者の滞在時間の合計は、居間が６分間、台所が４分間となるが、見守り主装置１１はこの時間帯での滞在時間の合計が最も長かった居間に見守り対象者が滞在したと判定する。
【００１７】
見守り主装置１１は、見守り対象者の滞在場所を判定した後、その時間帯での見守り対象者の滞在時間をリセットし、次の時間帯での見守り対象者の滞在時間に基づいて見守り対象者の滞在場所の判定を行う。
【００１８】
また、見守り主装置１１は前記見守り対象者の外出を判定する。
例えば、玄関のセンサ１２ｅが前記見守り対象者を検知した後、所定の外出確定時間（例えば３０分）が経過するまで前記見守り対象者宅１内のセンサ１２ａ〜１２ｅ何れも記見守り対象者を検知しなかったとき、ホストコンピュータ３は見守り対象者が外出したと判定する。その後、玄関のセンサ１２ｅが見守り対象者を検知した後、玄関以外の前記見守り対象者宅１内のセンサ１２ａ〜１２ｄのいずれかが前記見守り対象者を検知したとき、前記見守り対象者が帰宅したと判定する。
【００１９】
さらに、見守り主装置１１は、センサ１２ａ〜１２ｅが配置された場所以外での見守り対象者の滞在を判定する。
例えば、見守り対象者宅１内にセンサが配置されていない部屋があるとする。見守り対象者がセンサを配置した場所に滞在していないと判定された状態で、さらに外出もしていないと判定されたとき、見守り主装置１１は見守り対象者がセンサを配置していない部屋に滞在していると判定する。
【００２０】
上記のように見守り主装置１１によって判定された見守り対象者の滞在場所は、ホストコンピュータ３の蓄積機能によって随時蓄積される。更に、ホストコンピュータ３は、蓄積された見守り対象者の滞在判定の結果に基づいて滞在データの表を作成し、通信ネットワーク２を通じて見守り関係者の携帯情報端末４に配信を行う。
【００２１】
見守り関係者は、携帯情報端末４からホストコンピュータ３にアクセスすることで前記見守り対象者の滞在データを閲覧することができる。前記見守り関係者のアクセス信号は通信ネットワーク２を介してホストコンピュータ３に配信され、ホストコンピュータ３はこのアクセス信号に応答して見守り対象者の滞在データの表を携帯情報端末４へ配信する。
【００２２】
携帯情報端末４は、所定長の時間帯ごとの見守り対象者の滞在場所を表示する。
表示する方法は特に限定されないが、本実施の形態では、表を用いた見守り対象者の滞在場所の表示について説明する。
この表の各欄には、各所定時間帯ごとに見守り対象者が滞在した場所が１文字の記号で表示されている。なお、この１文字の記号は、見守り主装置１１が判定した見守り対象者の滞在場所を示している。
【００２３】
図２〜図４に携帯情報端末４の表示例を示す。
図２は携帯情報端末４に見守り対象者の滞在場所の表を表示させたもので、図３、４は携帯情報端末４の滞在場所表示画面４０の表示内容５０である。
【００２４】
図３に示すように、表示内容５０には滞在場所一覧表５１が表示される。滞在場所一覧表５１は、縦軸の主時刻軸と横軸の詳細時刻軸の２つの軸からなり、主時刻軸５２は１日の時間を１時間ごとに２４個の時間帯に区切られたものを示し、詳細時刻軸５３は主時刻軸５２で示される１時間の時間帯をさらに１０分間ごとに６個の時間帯に区切られたものを示している。なお、詳細時刻軸５３は、１０分ごとに区切られた各時間帯を左側から時系列の順に並べて表示している。
例えば、滞在場所一覧表５１において、主時刻軸３２が「０５」、詳細時刻軸３３が「２０」を示す欄は、午前５時２０分台における見守り対象者の滞在場所を示す。なお、午前５時２０分台とは、午前５時２０分００秒から午前５時２９分５９秒までの１０分間を示し、以後、同様に表現する。
【００２５】
滞在場所一覧表５１の各欄は詳細時刻軸で示される各時間帯を示し、この各欄には詳細時刻軸で示される各時間帯での見守り対象者の滞在場所がそれぞれ１文字の漢字で表示される。この１文字の漢字は、見守り対象者宅１内のセンサの出力に基づいて見守り主装置１１が判定した各１０分間ごとの滞在場所を表示している。
つまり、１文字の漢字とは、見守り対象者の滞在場所を、
居間→「居」
寝室→「寝」
台所→「台」
トイレ→「便」
玄関→「玄」
等と表示したものである。
また、必要に応じて、
外出→「外」
その他→「他」
等と表示してもよい。
【００２６】
図３の滞在場所一覧表５１に表示される１文字の漢字の具体例を示す。
例えば、午前１時２０分台の欄には「寝」、午前６時１０分台の欄には「居」と表示されている。これらは、見守り対象者は午前１時２０分台には主に寝室に滞在し、午前６時１０分台には主に居間に滞在していることを示している。
同様に、午前８時４０分台から午前９時５０分台の欄の「外」は、見守り対象者は午前８時４０分台から午前９時５０分台まで外出していることを示している。
【００２７】
最新の滞在データを滞在場所一覧表５１に表示するとき、現在時刻での見守り対象者の滞在場所を示す記号が表示される。また、滞在場所一覧表５１の各欄には、現在及び過去の滞在場所が表示されており、現在以降の時間の欄には空欄で表示される。現在以降の時間の欄は表示されなくてもよい。
【００２８】
また、図３の表示内容５０にはＴＯＰボタン５４が設けられている。このＴＯＰボタン５４を選択すると、表示中の滞在場所表示画面４０が表示内容５０の先頭の表示に切り替わる。
【００２９】
図３又は図４の滞在場所一覧表５１の全てを表示画面４０に表示できないときは、並び方向（上下）にスクロールすることによって滞在場所一覧表５１の全体を表示することができるようになっている。また、主時刻軸５２や詳細時刻軸５３で示される各時間帯の幅は別途設定によって変更することができる。
【００３０】
滞在場所表示画面４０は見守り対象者の各時間帯での滞在場所を把握できればよく、図４のように、図３における滞在場所一覧表５１の表枠５５を表示しなくてもよい。さらに、詳細時間軸５３を省略した滞在場所一覧表を表示してもよい。このとき、主時間軸５２と詳細時間軸５３とがそれぞれ容易に判別できるように配置しているのが望ましい。
【００３１】
表の枠や詳細時間軸を表示しないで数字や漢字のみで滞在データを表示することによって、通信時のデータ量が小さくて済むとともに、画面に制約がある携帯情報端末でも容易に表示することができる。
【００３２】
本発明の第２の実施形態を図面を参照して説明する。
なお、以下に述べる第２の実施形態では、第１の実施形態と重複する部分は省略している。
見守り対象者の滞在場所のいずれかを指定場所として見守り主装置１１に予め登録しておくことによって、見守り主装置１１は、見守り対象者がこの指定場所に滞在したとき、指定場所以外のその他の滞在場所での滞在時間の長さに関わらず、その指定場所に見守り対象者が滞在したと判定する。
【００３３】
なお、指定場所に見守り対象者が滞在する時間の長さは特に限定されず、見守り対象者が指定場所に滞在したとき、見守り主装置１１はその所定時間帯での滞在場所をその指定場所であると判定する。
【００３４】
例えば、予めトイレを指定場所に登録しておく。１０分間の時間帯において、トイレのセンサ１２ｄが見守り対象者を１分間検知し、その他の９分間は居間のセンサ１２ｂが９分間検知したとき、見守り主装置１１は、居間での滞在時間に関わらず、指定場所であるトイレに見守り対象者が滞在したと判定する。
このように判定することによって、見守り対象者は、図５の滞在場所一覧表５１から、午前１時３０分台と午前５時１０分台にトイレに行ったことを把握することができる。
【００３５】
このように予め見守り主装置１１に登録することによって、見守り関係者は、見守り対象者がトイレ等の短時間しか滞在しない場所に滞在したときでもその場所での滞在を把握することができる。
【００３６】
さらに、見守り対象者が予め所定した指定場所であるトイレに入ったと判定されたとき、見守り主装置１１は引き続いて異変判定を行うようにしてもよい。
見守り対象者が前記トイレに入ったとの判定後、所定の異変判定時間が経過してもトイレから移動したとの判定がなされなかった時、見守り主装置１１は異変発生と判定してもよい。
同様に、見守り対象者が外出中との判定後、所定の異変判定時間（例えば４時間）が経過しても帰宅したとの判定がなされなかったときも見守り主装置１１は異変発生と判定するようにしてもよい。
異変発生と判定された場合、異変判定の結果が携帯情報端末４や医療機関などに直ちに配信されるのが望ましい。
【００３７】
見守り主装置１１が行う異変判定は見守り対象者がトイレに行ったときに限られず、見守り主装置１１は風呂や居間などでの見守り対象者の異変判定を行うことが望ましい。
また、見守り主装置に登録される指定場所は後からでも登録や変更をすることができる。見守り関係者が指定場所の登録や変更を行うには、携帯情報端末４からだけではなく、見守り関係者宅のコンピュータや電話等からも行うことができる。
【００３８】
このように、トイレ等の短時間しか滞在しない場所や、浴室などの見守り対象者にとって危険を伴う場所を予め指定場所に登録しておくことによって、見守り対象者がトイレや浴室に滞在したことを優先的に表示することができる。
【００３９】
本発明は、上述の実施形態に限定されるものではなく、種々の改変が可能である。例えば、ホストコンピュータ３の機能を見守り主装置１１に設けて、見守り主装置１１が見守り対象者の滞在場所を判定し、携帯情報端末４に配信してもよい。
【００４０】
見守り対象者の滞在場所を表示する際に、表を用いた表示に限られず、文字列などで表示しても構わない。
表示内容５０に日付選択欄を設けて当日以外の日の滞在場所を表示できるようにしてもよい。また、表示する１文字の記号は漢字だけでなく、平仮名、片仮名、アルファベット等、特に限定されない。
【００４１】
通信ネットワーク２は特に限定されず、有線、無線を問わず、ＩＳＤＮ網、ＩＰ網、アナログ電話網などの情報通信回線であれば良い。
また、滞在データの表を配信する方法は特に限定されず、滞在データの表を直接配信するだけでなく、滞在データを表示するＷｅｂのアドレスを配信したり、電子メールで滞在データを配信しても構わない。さらに、ホストコンピューター１０は見守り対象者の滞在データの表を携帯情報端末４へ定期的に配信するようにしてもよい。
【００４２】
滞在場所一覧表５１は全ての欄が１０分間の時間帯を示す必要はなく、必要に応じて滞在場所一覧表５１のそれぞれの欄で示される時間帯の幅を設定してもよい。例えば、夜は１時間ごとの滞在場所を表示し、昼は５分ごとの滞在場所を表示するようにしてもよい。
【００４３】
前記見守り対象者宅１内に配置するセンサは人体から発せられる赤外線に感応する赤外線センサに限られず、センサは人体の体重を検知するセンサや体温を検知するセンサや生活音を検知するセンサ等、人体の滞在を検知するセンサであれば特に限定されない。
【００４４】
【発明の効果】
以上説明したように、本発明によれば、見守り対象者の所定時間ごとの滞在場所が１文字の記号で表示されているので、画面に制約がある携帯情報端末でも見守り対象者の滞在場所のデータを表示することができる。
また、所定時間帯において見守り対象者が最も長く滞在した場所が１文字の記号で表示されているので、見守り関係者は、所定時間帯ごとにおける見守り対象者の主な滞在場所を把握することができる。
さらに、見守り対象者の滞在場所に指定場所が含まれているとき、この指定場所が１文字の記号で表示されているので、見守り関係者は、見守り対象者がトイレ等で短い滞在を行ったときでも見守り対象者の滞在場所を把握することができる。
【図面の簡単な説明】
【図１】本発明の第１の実施形態における生活見守りシステムの概略構成図である。
【図２】上記見守りシステムにおける携帯情報端末に見守り対象者の滞在場所を表示した図である。
【図３】上記携帯情報端末における表示内容の図である。
【図４】上記携帯情報端末における表示内容の図である。
【図５】本発明の第２の実施形態における上記携帯情報端末の表示内容の図である。
【符号の説明】
Ｓ　テレケアシステム
１　見守り対象者宅
１１　見守り主装置
１２ａ〜１２ｅ　人感センサ
２　通信ネットワーク
３　ホストコンピュータ
４　携帯情報端末
４０　滞在場所表示画面
５１　滞在場所一覧表
５２　主時刻軸
５３　詳細時刻軸
５４　ＴＯＰボタン
５５　表枠
【図１】
2004112648.tif 000003
【図２】
2004112648.tif 000004
【図３】
2004112648.tif 000005
【図４】
2004112648.tif 000006
【図５】
2004112648.tif 000007